(57)【特許請求の範囲】
【請求項１】
デジタル変調信号を一定の周波数帯域幅をもつ１個若しくは複数の周波数ブロックに分割して伝送する直交周波数分割多重方式の装置であって、
前記デジタル変調信号の１チャンネルにおける前記周波数ブロックの周波数帯域幅（Ｗ）を、標準方式のテレビ信号の周波数帯域幅（Ｔ）の整数分の１に設定（Ｗ＝Ｔ／Ｋａ、Ｋａ：整数）すると共に、該チャンネルに隣接するチャンネルとの周波数間隔を、該周波数帯域幅（Ｗ）に相当する１周波数ブロック分の間隔に設定する帯域幅設定手段と、
前記テレビ信号の整数分の１に設定された周波数帯域幅をもつデジタル変調信号を周波数ブロック単位で、１個若しくは複数個を組み合わせ１つの信号波を構成して該テレビ信号の１チャンネルの周波数帯域内に配置して伝送する伝送手段と
を具えたことを特徴とする送信装置。
【請求項２】
前記周波数ブロックの周波数帯域幅（Ｗ）を、前記テレビ信号の周波数帯域幅（Ｔ）の１４分の１に設定（Ｗ＝Ｔ／１４）して伝送することを特徴とする請求項１記載の送信装置。
【請求項３】
前記周波数帯域幅（Ｗ）をもつ周波数ブロックを、複数個連続して組み合わせることによって、１つの信号波を構成することを特徴とする請求項２記載の送信装置。
【請求項４】
前記周波数ブロックの個数を１３個としたことを特徴とする請求項３記載の送信装置。
【請求項５】
前記周波数帯域幅（Ｗ）をもつ周波数ブロックを、当該周波数帯域幅（Ｗ）の３分の１若しくは３分の２の間隔を空けて配置したことを特徴とする請求項２ないし４のいずれか記載の送信装置。
【請求項６】
一定の周波数帯域幅をもつ１個若しくは複数の周波数ブロックに分割されて伝送されるデジタル変調信号を受信する装置であって、
請求項１ないし５のいずれか記載の送信装置から送信されたデジタル変調信号を受信する受信手段と、
前記受信されたデジタル変調信号の１チャンネルにおける前記周波数ブロックの周波数帯域幅（Ｗ）と該周波数帯域幅（Ｗ）に等しい該チャンネル間の周波数間隔に相当する周波数帯域幅とを決定するための所定の係数をもつ最小ステップサイズを有する１個の周波数シンセサイザを用いてダウンコンバートする周波数変換手段と
を具えたことを特徴とする受信装置。
【請求項７】
前記周波数シンセサイザは、前記周波数ブロックの周波数帯域幅（Ｗ）の整数分の１を最小ステップサイズ（Ｗ／Ｋb ＝Ｔ／Ｋa ・Ｋb 、Ｋb ：整数）として構成されることを特徴とする請求項６記載の受信装置。
【請求項８】
前記受信手段は、請求項４記載の送信装置からのデジタル変調信号を受信し、
前記周波数変換手段は、前記周波数ブロックの周波数帯域幅（Ｗ）の３分の１を最小ステップサイズとした周波数シンセサイザを用いて、高周波数信号から中間周波数信号へダウンコンバートすることを特徴とする請求項６又は７記載の受信装置。
【請求項９】
前記受信手段は、請求項３又は４記載の送信装置からのデジタル変調信号のうち所定の１個の周波数ブロックを受信し、
前記周波数変換手段は、前記周波数ブロックの周波数帯域幅（Ｗ）の３分の１を最小ステップサイズとした周波数シンセサイザを用いて、所定の周波数ブロックを選択して高周波数信号から中間周波数信号へダウンコンバートすることを特徴とする請求項６又は７記載の受信装置。
【請求項１０】
前記受信手段は、請求項５記載の送信装置からのデジタル変調信号のうち所定の１個の周波数ブロックを受信し、
前記周波数変換手段は、前記周波数ブロックの周波数帯域幅（Ｗ）の３分の１を最小ステップサイズとした周波数シンセサイザを用いて、所定の周波数ブロックを選択して高周波数信号から中間周波数信号へダウンコンバートすることを特徴とする請求項６又は７記載の受信装置。
【発明の詳細な説明】
【０００１】
【発明の属する技術分野】
本発明は、地上デジタルテレビジョン放送、デジタル音声放送、あるいはデジタル情報を統合して放送する統合デジタル放送（ISDB : Integrated Services Broadcasting ）の信号の伝送方式に係る送信装置および受信装置に関する。
【０００２】
【従来の技術】
従来、デジタル変調信号を一定の周波数帯域幅をもつ複数の周波数ブロックに分割して伝送するＯＦＤＭ（Orthogonal Frequency Division Multiplex ：直交周波数分割多重）の伝送方式を採用した装置がある。このＯＦＤＭ伝送方式をとる装置としては、ＯＦＤＭ信号を複数の周波数ブロックに分割して放送する例（特願平６−７０５４８号公報：移動体向け信号伝送受信方式）、これらＯＦＤＭ信号の周波数ブロックを互いに同期させ、互いの干渉を防ぐようにした例（特願平０６−０７４７５０：複数の直交周波数分割多重変調方式の伝送方式）がある。
【０００３】
また、各周波数ブロックの周波数帯域幅に関して、電気通信技術審議会の暫定方式原案においては、４３２ｋＨｚと規定されている。
【０００４】
しかし、これらの全てが、日本のテレビ周波数帯域幅である６ＭＨｚの整数分の１にはなっていない。
【０００５】
一方、既存のアナログテレビ放送のダウンコンバートに使用する周波数シンセサイザの最小ステップ数は、１／６ＭＨｚが用いられている。
【０００６】
ここで、従来のＯＦＤＭ伝送方式を採用した具体例を、図５〜図７に基づいて説明する。
【０００７】
図５は、従来の地上デジタル放送用の周波数スペクトルの１例を示す。
【０００８】
５０１はチャンネルＮの帯域であり、５０６に示す６ＭＨｚの周波数帯域幅をもっている。また、５０２は上側のチャンネル（チャンネルＮ＋１）の帯域である。５０３は従来のＯＦＤＭ信号である。
【０００９】
日本で検討されているＯＦＤＭ信号は、ＯＦＤＭ信号をより狭い周波数帯域幅をもつ周波数ブロックを複数個集めて構成されている。
【００１０】
従来の伝送方式によれば、周波数ブロックの周波数帯域幅は５０４に示す４３２ｋＨｚとなっており、これを１３個集めることによりＯＦＤＭ信号が構成されている。
【００１１】
単純な計算によれば、ＯＦＤＭ信号５０３の周波数帯域幅は、
【００１２】
【数１】
４３２×１３＝５６１６ｋＨｚ          …（１）
となり、全帯域幅６ＭＨｚに対して３８４ｋＨｚの余りが生じている。その結果、５０２のチャンネルＮ＋１との周波数間隔５０５も、３８４ｋＨｚの余りとなる。
【００１３】
図６は、従来方式によるＯＦＤＭ信号全体を復調するためのダウンコンバータの例を示す。
【００１４】
この例の伝送方式によれば、周波数シンセサイザ６０３のステップサイズはｆd により定められており、１／６ＭＨｚとなっている。このステップサイズをもつ周波数シンセサイザ６０３を用いてＯＦＤＭ信号を復調する際には、周波数変換部６０２において、６０４のチャンネル指定により係数ｎを与え、ローカル周波数ｆLoを発生させる。そして、位相比較部６１０において、そのローカル周波数ｆLoを、ＲＦ信号（Radio Frequency ：高周波信号）６０１のＯＦＤＭ信号に乗算する。この乗算結果の信号を、ＢＰＦ（Band Pass Filter）６０５に導くことによって、ＩＦ信号（Intermediate Frequency：中間周波数信号）６０６のＯＦＤＭ信号を得ている。なお、ｆIFは、通常５７ＭＨｚが用いられている。
【００１５】
仮に、チャンネルＮを復調するためのチャンネル指定の係数をｎN とすれば、チャンネルＮ＋１を復調するための係数ｎN+1 は、
【００１６】
【数２】
ｎN+1 ＝３６ｎN             …（２）
となる。また、ＶＨＦのチャンネル７とチャンネル８のように間隔が４ＭＨｚしか離れていない場合には、２４ｎN により次のチャンネルの係数を求めている。
【００１７】
図７は、従来方式によるＯＦＤＭ信号のうち、１ブロックのみを受信する受信装置のダウンコンバータの例を示す。
【００１８】
この場合、周波数シンセサイザのステップサイズは、周波数シンセサイザ７０３によるｆd1＝１／６ＭＨｚ、および、周波数シンセサイザ７０４によるｆd2＝４３２ｋＨｚの２つによって定められている。
【００１９】
これらのステップサイズをもつ周波数シンセサイザ７０３，７０４を用いて、ＯＦＤＭ信号を復調する際には、周波数変換部７０２において、７０５のチャンネル指定により係数ｎを与え、７０６のブロック指定により係数ｍを与えることにより、ローカル周波数ｆLoを発生させる。そして、位相比較部７１０において、そのローカル周波数ｆLoをＲＦ信号７０１のＯＦＤＭ信号に乗算することによって、ＢＰＦ７０７  を介して、所望のチャンネルに配置された所望のブロックを中心としたＩＦ信号７０８のＯＦＤＭ信号を得ている。
【００２０】
この例では、周波数シンセサイザ７０３のｆd1および周波数シンセサイザ７０４のｆd2に示すように、２つの周波数シンセサイザを用意することが必要となり、位相雑音が増加することが懸念される。
【００２１】
【発明が解決しようとする課題】
地上デジタル放送は、既存のアナログテレビ放送の帯域で導入することが計画されている。このため、地上デジタル放送で用いられているＯＦＤＭ信号を復調する際には、既存のアナログテレビ用のダウンコンバートに使用されている周波数シンセサイザを利用することが考えられる。
【００２２】
既存のアナログテレビ用の周波数シンセサイザの最小ステップ数は、ＶＨＦ用として７ｃｈ、８ｃｈの２ＭＨｚの重なりを考慮し、４ＭＨｚおよび既存のテレビ周波数帯域幅である６ＭＨｚの公約数から、１／６ＭＨｚが決められている。
【００２３】
一方、暫定方式原案で規定されている周波数ブロックの周波数帯域幅４３２ｋＨｚを使用した場合、１ブロックのみを受信する部分受信装置においては、前述した図７の例に示したように、４３２ｋＨｚのステップ幅が必要となる。
【００２４】
その結果、４ＭＨｚ，６ＭＨｚの中心にあわせる周波数シンセサイザと４３２ｋＨｚステップを求める別の周波数シンセサイザとの２個が必要となるため、装置が複雑化し、しかも、位相雑音が２つの周波数シンセサイザの和となることから、特に、６４ＱＡＭ−ＯＦＤＭなど多値化されたＯＦＤＭ信号を復調することが困難となる。
【００２５】
また、１個の周波数シンセサイザを用いる場合、４ＭＨｚ，６ＭＨｚおよび４３２ｋＨｚの最大公約数は１６ｋＨｚとなる。周波数シンセサイザの位相雑音は、最小ステップ周波数が小さくなるほど大きくなることを考慮すると、やはり６４ＱＡＭ−ＯＦＤＭなど多値化されたＯＦＤＭ信号を復調することが困難となる。
【００２６】
その結果、現状においては、部分受信が可能な周波数ブロックが中央部のみに制限されるなどの制約が多いという問題がある。
【００２７】
そこで、本発明の目的は、送信側で周波数信号の周波数ブロックの周波数帯域幅を既存のテレビ放送用の周波数帯域幅と関係付け、受信側で１個の周波数シンセサイザを用いて復調することにより、位相雑音の増加を極力抑え、安価で高性能な送信装置および受信装置を提供することにある。
【００２８】
【課題を解決するための手段】
本発明は、デジタル変調信号を一定の周波数帯域幅をもつ１個若しくは複数の周波数ブロックに分割して伝送する直交周波数分割多重方式の装置であって、前記デジタル変調信号の１チャンネルにおける前記周波数ブロックの周波数帯域幅（Ｗ）を、標準方式のテレビ信号の周波数帯域幅（Ｔ）の整数分の１に設定（Ｗ＝Ｔ／Ｋａ、Ｋａ：整数）すると共に、該チャンネルに隣接するチャンネルとの周波数間隔を、該周波数帯域幅（Ｗ）に相当する１周波数ブロック分の間隔に設定する帯域幅設定手段と、前記テレビ信号の整数分の１に設定された周波数帯域幅をもつデジタル変調信号を周波数ブロック単位で、１個若しくは複数個を組み合わせ１つの信号波を構成して該テレビ信号の１チャンネルの周波数帯域内に配置して伝送する伝送手段とを具えることによって、送信装置を構成する。
【００２９】
ここで、前記周波数ブロックの周波数帯域幅（Ｗ）を、前記テレビ信号の周波数帯域幅（Ｔ）の１４分の１に設定（Ｗ＝Ｔ／１４）して伝送することができる。
【００３０】
前記周波数帯域幅（Ｗ）をもつ周波数ブロックを、複数個連続して組み合わせることによって、１つの信号波を構成することができる。
【００３１】
前記周波数ブロックの個数を１３個とすることができる。
【００３２】
前記周波数帯域幅（Ｗ）をもつ周波数ブロックを、当該周波数帯域幅の３分の１若しくは３分の２の間隔を空けて配置することができる。
【００３３】
本発明は、一定の周波数帯域幅をもつ１個若しくは複数の周波数ブロックに分割されて伝送されるデジタル変調信号を受信する装置であって、上記記載の送信装置から送信されたデジタル変調信号を受信する受信手段と、前記受信されたデジタル変調信号の１チャンネルにおける前記周波数ブロックの周波数帯域幅（Ｗ）と該周波数帯域幅（Ｗ）に等しい該チャンネル間の周波数間隔に相当する周波数帯域幅とを決定するための所定の係数をもつ最小ステップサイズを有する１個の周波数シンセサイザを用いてダウンコンバートする周波数変換手段とを具えることによって、受信装置を構成する。
【００３４】
ここで、前記周波数シンセサイザは、前記周波数ブロックの周波数帯域幅（Ｗ）の整数分の１を最小ステップサイズ（Ｗ／Ｋb ＝Ｔ／Ｋa ・Ｋb 、Ｋb ：整数）として構成することができる。
【００３５】
前記受信手段は、周波数ブロックの個数を１３個とした方式のデジタル変調信号を前記送信装置から受信し、前記周波数変換手段は、前記周波数ブロックの周波数帯域幅（Ｗ）の１／３を最小ステップサイズとした周波数シンセサイザを用いて、高周波数信号から中間周波数信号へダウンコンバートすることができる。
【００３６】
前記受信手段は、周波数ブロックを１個若しくは複数個連続して組み合わせて１つの信号波を構成、または、周波数ブロックの個数を１３個とした方式のデジタル変調信号のうちの所定の１個の周波数ブロックを前記送信装置から受信し、前記周波数変換手段は、前記周波数ブロックの周波数帯域幅（Ｗ）の３分の１を最小ステップサイズとした周波数シンセサイザを用いて、所定の周波数ブロックを選択して高周波数信号から中間周波数信号へダウンコンバートすることができる。
【００３７】
前記受信手段は、周波数ブロックを当該周波数帯域幅の３分の１若しくは３分の２の間隔を空けて配置する方式のデジタル変調信号のうち所定の１個の周波数ブロックを前記送信装置から受信し、前記周波数変換手段は、前記周波数ブロックの周波数帯域幅（Ｗ）の３分の１を最小ステップサイズとした周波数シンセサイザを用いて、所定の周波数ブロックを選択して高周波数信号から中間周波数信号へダウンコンバートすることができる。
【００３８】
【発明の実施の形態】
以下、図面を参照して、本発明の実施の形態を詳細に説明する。
【００３９】
（概要）
まず、本発明の概要について説明する。
【００４０】
本発明は、デジタル変調信号のＯＦＤＭ（直交周波数分割多重）信号を一定の周波数帯域幅をもつ周波数ブロックに分割して送信および受信するＯＦＤＭ伝送方式において、送信側においてＯＦＤＭ信号の周波数ブロックの周波数帯域幅を既存のテレビ放送用の周波数帯域幅と関係付けることにより、受信側において周波数シンセサイザの最小ステップ数をそれほど小さくすることなく、しかも、１個の周波数シンセサイザを用いて復調するものである。
【００４１】
すなわち、送信側において、ＯＦＤＭ信号の各周波数ブロックの周波数帯域幅Ｗを、既存のテレビ信号の周波数帯域幅Ｔ（＝６ＭＨｚ）の整数分の１に分割（Ｗ＝Ｔ／Ｋa ＝６／Ｋa ＭＨｚ、Ｋa ：整数）して送信する。
【００４２】
一方、受信側において、各周波数ブロックに分割されたデジタル変調信号を１個の周波数シンセサイザを用いて復調する。この場合、周波数ブロックの周波数帯域幅Ｗの整数分の１を最小ステップサイズ（Ｗ／Ｋb ＝６／Ｋa ・Ｋb ＭＨｚ、Ｋb ：整数）とした周波数シンセサイザを用いて、ＲＦ（高周波）信号からＩＦ（中間周波数）信号にダウンコンバートする。
【００４３】
これにより、テレビ信号の周波数帯域幅で放送を行う信号をそのまま周波数変換すること、および、信号を構成する各周波数ブロックを個別に周波数変換することを容易に行うことができるものである。
【００４４】
以下、具体例な例を挙げて説明する。
【００４５】
（第１の例）
図１は、送信装置側において作成される、本発明に係るＯＦＤＭ信号の周波数スペクトルの１例を示す。
【００４６】
１０１はチャンネルＮの帯域であり、１０６に示す周波数帯域幅Ｔを有し、ＯＦＤＭ信号１０３によって構成されている。
【００４７】
ＯＦＤＭ信号１０３は、複数個（ここでは、１３個）の周波数ブロックから構成されている。各周波数ブロックの周波数帯域幅Ｗは、１０１のチャンネルＮの周波数帯域幅Ｔの整数分の１に設定（Ｗ＝Ｔ／Ｋa 、Ｋa ：整数）されている。
【００４８】
また、１０２は上側のチャンネルＮ＋１の帯域であり、チャンネルＮと同様な周波数帯域の構成とされている。
【００４９】
例えば、チャンネルＮの周波数帯域幅Ｔ＝６ＭＨｚとし、この周波数帯域幅ＴがＫa ＝１４個の周波数ブロックから構成されているとする。このとき、各周波数ブロックの周波数帯域幅Ｗは、
【００５０】
【数３】
0003884869.tif 000002
となる。
【００５１】
これからわかるように、周波数ブロックを１４個集めることによって、ちょうどチャンネルの周波数帯域幅Ｔと同じ６ＭＨｚとなり、隣のチャンネルとの周波数間隔１０５を１ブロック分とすれば、周波数ブロックを１３個集めることによってＯＦＤＭ信号１０３が構成されることになる。
【００５２】
単純な計算によれば、ＯＦＤＭ信号１０３の周波数帯域幅Ｔ′は、
【００５３】
【数４】
0003884869.tif 000003
となる。
【００５４】
（第２の例）
図２は、受信装置における、本発明に係るＯＦＤＭ信号全体を復調するためのダウンコンバータの例を示す。
【００５５】
このダウンコンバータは、図１の送信装置から送信されたＯＦＤＭ信号１０３を、１個の周波数シンセサイザを用いて周波数変換する。周波数シンセサイザは、周波数ブロックの周波数帯域幅Ｗの整数分の１を最小ステップサイズ（Ｗ／Ｋb ＝Ｔ／Ｋa ・Ｋb 、Ｋb ：整数）として構成されている。
【００５６】
例えば、周波数シンセサイザの最小ステップサイズの周波数帯域幅ｆd を、周波数ブロックの周波数帯域幅Ｗの３分の１（Ｋb ＝３）とした場合について考える。
【００５７】
周波数帯域幅ｆd は、
【００５８】
【数５】
0003884869.tif 000004
となる。
【００５９】
図２に示す周波数シンセサイザ２０３のステップサイズは、周波数帯域幅ｆd によって定められており、ｆd ＝１／７ＭＨｚとなる。
【００６０】
このステップサイズをもつ周波数シンセサイザ２０３を用いて、ＯＦＤＭ信号を復調する際には、周波数変換部２０２において、２０４のチャンネル指定により係数ｎを与え、ローカル周波数ｆLoを発生させる。
【００６１】
【数６】
ｆLo＝ｆo ＋ｎｆd ＋ｆIF        …（６）
そして、位相比較部２１０において、その発生したローカル周波数ｆLoをＲＦ信号（Radio Frequency ：高周波信号）２０１のＯＦＤＭ信号に乗算する。この乗算結果を、ＢＰＦ（Band Pass Filter）２０５に入力することによって、ＩＦ信号（Intermediate Frequency：中間周波数信号）２０６のＯＦＤＭ信号を得ることができる。
【００６２】
仮に、チャンネルＮを復調するためのチャンネル指定の係数をｎN とすれば、チャンネルＮ＋１を復調するための係数ｎN+1 は、
【００６３】
【数７】
ｎN+1 ＝４２ｎN             …（７）
となる。
【００６４】
また、ＶＨＦのチャンネル７とチャンネル８のように間隔が４ＭＨｚしか離れていない場合には、２８ｎN により次のチャンネルの係数が求められる。
【００６５】
なお、本例では、周波数シンセサイザ２０３の最小ステップサイズを、周波数ブロックの周波数帯域幅Ｗの３分の１としたが、これに限定されるものではなく、この他に、それほど小さくない範囲での整数分の１の値であればよい。
【００６６】
（第３の例）
図３は、受信装置において、本発明に係るＯＦＤＭ信号のうち、１ブロックのみを受信するダウンコンバータの例を示す。
【００６７】
この例でも、周波数シンセサイザ３０３の最小ステップサイズは、周波数帯域幅ｆd ＝１／７ＭＨｚによって定められている。
【００６８】
このステップサイズをもつ１個の周波数シンセサイザ３０３を用いて、ＲＦ信号３０１のＯＦＤＭ信号を復調する際には、周波数変換部３０２において、３０４のチャンネル指定により係数ｎを与え、３０５のブロック指定により係数ｍを与えることにより、ローカル周波数ｆLoを発生させる。
【００６９】
【数８】
ｆLo＝ｆo ＋（１４ｎ＋ｍ）ｆd ＋ｆIF      …（８）
そして、位相比較部３１０において、そのローカル周波数ｆLoを、ＲＦ信号３０１のＯＦＤＭ信号に乗算する。この乗算結果を、ＢＰＦ３０６に入力することによって、所望のチャンネルに配置された所望のブロックを中心としたＩＦ信号３０７のＯＦＤＭ信号を得ることができる。
【００７０】
ローカル周波数ｆLoの計算においては、１４個のブロックにより１つのチャンネルが構成されることを考慮している。仮に、チャンネルＮのｋ番目のブロックを復調するためのチャンネル指定の係数をｎN 、ブロック指定の係数をｍk とすれば、チャンネルＮのｋ＋１番目のブロックを復調するためのブロック指定の係数ｍk+1 は、
【００７１】
【数９】
ｍk+1 ＝３ｍk           …（９）
となる。
【００７２】
また、チャンネルＮ＋１のｋ番目のブロックを復調するためのチャンネル指定の係数ｎN+1 は、
【００７３】
【数１０】
ｎN+1 ＝３ｎN           …（１０）
となる。
【００７４】
これにより、周波数シンセサイザの個数は、周波数シンセサイザ３０３の１個で済むことになるため、従来において課題とされていた位相雑音の増加を抑えることが可能となる。
【００７５】
（第４の例）
図４は、本発明に係る全てのＯＦＤＭ信号を受信する受信装置および１ブロックのみを受信する受信装置の共用ダウンコンバータの構成例を示す。なお、全体的な構成は、図３と同様であり、その詳細な説明は省略する。
【００７６】
本例においても、最小ステップサイズが周波数帯域幅ｆd ＝１／７ＭＨｚによって定められた１個の周波数シンセサイザ４０３を用いてダウンコンバートする。
【００７７】
ＲＦ信号４０１のＯＦＤＭ信号を復調する際には、周波数変換部４０２において、４０４のチャンネル指定により係数ｎを与え、また、全部のＯＦＤＭ信号を受信する場合には、ブロック指定の係数をｍまたは所定の値に固定することにより、ローカル周波数ｆLoを発生させる。
【００７８】
そして、位相比較部４１０において、そのローカル周波数ｆLoをＲＦ信号４０１のＯＦＤＭ信号に乗算する。この乗算結果を、ＢＰＦ４０６に入力することによって、所望のチャンネルに配置された所望のブロックを中心としたＩＦ信号４０７のＯＦＤＭ信号を得ることができる。
【００７９】
本ダウンコンバータによれば、１ブロックのみを受信する受信装置と、全部のＯＦＤＭ信号を受信する受信装置のダウンコンバータを共用することが可能となり、コストダウンを図ることが可能となる。
【００８０】
【発明の効果】
以上説明したように、本発明によれば、デジタル変調信号を一定の周波数帯域幅をもつ複数の周波数ブロックに分割して伝送するＯＦＤＭ伝送方式において、送信装置側でＯＦＤＭ信号の周波数ブロックの周波数帯域幅Ｗを、既存のテレビ信号の周波数帯域幅Ｔの整数分の１に設定（Ｗ＝Ｔ／Ｋa ）して周波数ブロック単位で送信し、受信側では１個の周波数シンセサイザを用いてＯＦＤＭ信号全体、または、周波数ブロック単位でダウンコンバートするようにしたので、位相雑音の増加を抑制することができ、これにより、高性能で信頼性の高い装置を得ることができる。
【００８１】
また、本発明によれば、ＯＦＤＭ信号全体を復調する受信装置、および、周波数ブロックを一つずつ受信する受信装置のダウンコンバータにおいて、同じ周波数ステップをもつ周波数シンセサイザを使用できるので、ダウンコンバータを共用させ、安価な装置を得ることができる。
【図面の簡単な説明】
【図１】本発明の実施の形態の１例であり、ＯＦＤＭ信号の周波数スペクトルの例を示す説明図である。
【図２】本発明の実施の形態の１例であり、ＯＦＤＭ信号の全体を復調するためのダウンコンバータの例を示すブロック図である。
【図３】本発明の実施の形態の１例であり、ＯＦＤＭ信号のうち１ブロックのみを受信するためのダウンコンバータの例を示すブロック図である。
【図４】本発明の実施の形態の１例であり、共用のダウンコンバータの例を示すブロック図である。
【図５】従来におけるＯＦＤＭ信号の周波数スペクトルの例を示す説明図である。
【図６】従来におけるＯＦＤＭ信号の全体を復調するためのダウンコンバータの例を示すブロック図である。
【図７】従来におけるＯＦＤＭ信号のうち１ブロックのみを受信するためのダウンコンバータの例を示すブロック図である。
【符号の説明】
１０３  ＯＦＤＭ信号
１０４  周波数帯域幅
１０５  周波数間隔
２０１  ＲＦ信号
２０３  周波数シンセサイザ
２０６  ＩＦ信号
３０１  ＲＦ信号
３０３  周波数シンセサイザ
３０７  ＩＦ信号
４０１  ＲＦ信号
４０３  周波数シンセサイザ
４０７  ＩＦ信号
【図１】
0003884869.tif 000005
【図２】
0003884869.tif 000006
【図３】
0003884869.tif 000007
【図４】
0003884869.tif 000008
【図５】
0003884869.tif 000009
【図６】
0003884869.tif 000010
【図７】
0003884869.tif 000011